(57)【要約】【課題】表示装置に表示される画像に基づいて、当該画像の画質などが適当であるかどうかを適切に判断することができるインターネットファクシミリ装置１を提供する。【解決手段】  インターネットファクシミリ装置１で、原稿の画像を原稿読取部１０７で読み取って生成した元画像データに基づく画像（編集画像）を表示装置１０６ａに表示する際に、当該編集画像とともに、元画像の全体の各辺の画素数に対する表示装置１０６ａに表示される編集画像の全体（表示されない部分を含む）の各辺の画像数の割合、及び、記録紙に印刷した場合の元画像のうち編集画像の表示装置１０６ａに表示されている部分に対応する部分の各辺の長さに対する、編集画像の表示装置１０６ａに表示されている部分の各辺の長さの割合を情報表示部１０６４に表示する。【選択図】図６
2008294611.tif 000002
【特許請求の範囲】
【請求項１】
元画像データの画像を拡大又は縮小して表示装置に表示することができる画像処理装置であって、
元画像データの画像を拡大又は縮小した画像の編集画像データを生成する画像データ生成手段と、
元画像データの画像の全体の各辺の画素数に対する、編集画像データの画像の全体の各辺の画素数の割合を算出する画素数割合算出手段と、
記録紙に印刷した場合の元画像データの画像のうち編集画像データの画像の前記表示装置に表示される部分に対応する部分の各辺の長さに対する、編集データの画像のうち前記表示装置に表示される部分の各辺の長さの割合を算出する長さ割合算出手段と、
編集画像データの画像とともに、画素数の割合と長さの割合とを前記表示装置に表示させる制御手段と、を備えることを特徴とする画像処理装置。
【請求項２】
元画像データの画像を拡大又は縮小して表示装置に表示することができる画像処理装置であって、
元画像データの画像を拡大又は縮小した画像の編集画像データを生成する画像データ生成手段と、
元画像データの画像の全体の総画素数に対する編集画像データの画像の全体の総画素数の割合を算出する画素数割合算出手段と、
記録紙に印刷した場合の元画像データの画像のうち編集画像データの画像の前記表示装置に表示される部分に対応する部分の面積に対する、編集データの画像のうち前記表示装置に表示される部分の面積の割合を算出する面積割合算出手段と、
編集画像データの画像とともに、画素数の割合と面積の割合とを前記表示装置に表示させる制御手段と、を備えることを特徴とする画像処理装置。
【請求項３】
前記画像データ生成手段は、元画像データの画像を拡大又は縮小して編集画像データを生成するか、或いは、元画像データの画像を所定の倍率で拡大又は縮小した基準画像データの画像を拡大、縮小、又は、そのままの倍率として編集画像データを生成することを特徴とする請求項１又は２に記載の画像処理装置。
【請求項４】
元画像データの画像に対する編集画像データの画像の倍率の入力を受け付ける受付手段をさらに備え、
前記画像データ生成手段は、
前記受付手段が受け付けた倍率が、
前記所定の倍率よりも１００％に近い場合には、元画像データに基づいて、元画像データの画像に対して前記受付手段が受け付けた倍率の画像となる編集画像データを生成し、
１００％よりも前記所定の倍率に近い場合には、基準画像データに基づいて、元画像データの画像に対して前記受付手段が受け付けた倍率の画像となる編集画像データを生成することを特徴とする請求項３に記載の画像処理装置。
【請求項５】
前記所定の倍率は、基準画像データをそのままの倍率として編集画像データとした場合に、編集画像データの画像の全部分が前記表示装置に表示される値であることを特徴とする請求項３又は４に記載の画像処理装置。
【発明の詳細な説明】
【技術分野】
【０００１】
本発明は、画像処理装置に関し、詳しくは、画像データの画像を縮小して表示装置に表示することができる画像処理装置に関する。
【背景技術】
【０００２】
従来、特許文献１に記載されているように、ファクシミリ送信前又はコピー前にファクシミリ送信する画像又はコピーする画像が適切であるか否かを事前確認するために表示装置に表示することができるコピーファクシミリ複合機が発明されている。特許文献１に記載のコピーファクシミリ複合機は、ファクシミリ送信する画像やコピーする画像を外部の表示装置に表示するが、コピーする画像やインターネットファクシミリ通信で送信する画像を自装置が備える表示装置に表示するインターネットファクシミリ装置も発明されている。このようなインターネットファクシミリ装置では、表示装置に表示した画像を利用者の指示に応じて拡大したり縮小したりすることができる。
【特許文献１】特開２００６−２４６２８４号公報
【発明の開示】
【発明が解決しようとする課題】
【０００３】
このようなインターネットファクシミリ装置では、表示装置の表示内容からは、表示装置に表示されている画像が画像データの画像をどの程度拡大又は縮小して表示しているのか、つまり、画像データの画素をどの程度補間したり又は間引いたりして表示しているのかがわからず、また、表示装置に表示されている画像の大きさが、記録紙に当該画像が印刷された場合の大きさに対してどの程度の割合であるのかがわからない。したがって、表示装置に表示されている画像の画質が悪い場合に、画像データそのものの画質が悪いためなのか、表示装置に表示している画像の解像度が低い（縮小率が高い）ためなのかがわからない。そのため、表示装置に表示されている画像に基づいて、コピーされたりインターネットファクシミリ通信で送信されたりする画像の画質などが適当であるかどうかを適切に判断することが困難であるという問題がある。
【０００４】
そこで、本発明は、表示装置に表示される画像に基づいて、当該画像の画質などが適当であるかどうかを適切に判断することができる画像処理装置を提供することを目的とする。
【課題を解決するための手段】
【０００５】
上記目的を達成するために、請求項１に記載の画像処理装置は、元画像データの画像を拡大又は縮小して表示装置に表示することができる画像処理装置であって、元画像データの画像を拡大又は縮小した画像の編集画像データを生成する画像データ生成手段と、元画像データの画像の全体の各辺の画素数に対する、編集画像データの画像の全体の各辺の画素数の割合を算出する画素数割合算出手段と、記録紙に印刷した場合の元画像データの画像のうち編集画像データの画像の前記表示装置に表示される部分に対応する部分の各辺の長さに対する、編集データの画像のうち前記表示装置に表示される部分の各辺の長さの割合を算出する長さ割合算出手段と、編集画像データの画像とともに、画素数の割合と長さの割合とを前記表示装置に表示させる制御手段と、を備えることを特徴としている。
【０００６】
ここで、「編集画像データの画像の全体」とは、画像データ生成手段が元画像データを拡大又は縮小して、表示装置に表示される部分など一部分の編集画像データしか生成しない場合であっても、元画像データの画像の全体に対応する編集画像データを生成したと仮定した場合の編集画像データの画像の全体を意味する。以下の請求項においても同じである。
【０００７】
上記目的を達成するために、請求項２に記載の画像処理装置は、元画像データの画像を拡大又は縮小して表示装置に表示することができる画像処理装置であって、元画像データの画像を拡大又は縮小した画像の編集画像データを生成する画像データ生成手段と、元画像データの画像の全体の総画素数に対する編集画像データの画像の全体の総画素数の割合を算出する画素数割合算出手段と、記録紙に印刷した場合の元画像データの画像のうち編集画像データの画像の前記表示装置に表示される部分に対応する部分の面積に対する、編集データの画像のうち前記表示装置に表示される部分の面積の割合を算出する面積割合算出手段と、編集画像データの画像とともに、画素数の割合と面積の割合とを前記表示装置に表示させる制御手段と、を備えることを特徴としている。
【０００８】
請求項３に記載の画像処理装置は、請求項１又は２に記載の画像処理装置であって、前記画像データ生成手段は、元画像データの画像を拡大又は縮小して編集画像データを生成するか、或いは、元画像データの画像を所定の倍率で拡大又は縮小した基準画像データの画像を拡大、縮小、又は、そのままの倍率として編集画像データを生成することを特徴としている。
【０００９】
請求項４に記載の画像処理装置は、請求項３に記載の画像処理装置であって、元画像データの画像に対する編集画像データの画像の倍率の入力を受け付ける受付手段をさらに備え、前記画像データ生成手段は、前記受付手段が受け付けた倍率が、前記所定の倍率よりも１００％に近い場合には、元画像データに基づいて、元画像データの画像に対して前記受付手段が受け付けた倍率の画像となる編集画像データを生成し、１００％よりも前記所定の倍率に近い場合には、基準画像データに基づいて、元画像データの画像に対して前記受付手段が受け付けた倍率の画像となる編集画像データを生成することを特徴としている。
【００１０】
請求項５に記載の画像処理装置は、請求項３又は４に記載の画像処理装置であって、前記所定の倍率は、基準画像データをそのままの倍率として編集画像データとした場合に、編集画像データの画像の全体が前記表示装置に表示される値であることを特徴としている。
【発明の効果】
【００１１】
請求項１に記載の画像処理装置によれば、元画像データの画像を拡大又は縮小した編集画像データの画像とともに、元画像データの画像の全体の各辺の画素数に対する編集画像データの画像の全体の各辺の画素数の割合を算出する画素数割合、及び、記録紙に印刷した場合の元画像データの画像のうち編集画像データの画像の表示装置に表示される部分に対応する部分の各辺の長さに対する、編集データの画像のうち表示装置に表示される部分の各辺の長さの割合を表示装置に表示する。したがって、表示装置に表示されている編集画像データの画像の画質が悪い場合に、画素数割合及び長さ割合と表示装置に表示されている編集画像データの画像の画質との関係により、元画像データそのものの画質が悪いのか、表示装置に表示している編集画像データの画像の解像度が低い（縮小率が高い）のかがわかるので、表示装置に表示されている編集画像データの画像に基づいて、元画像データの画像の画質などが、例えば、コピーをしたり印刷をしたりするのに適当であるかどうかを適切に判断することができるという効果が得られる。
【００１２】
請求項２に記載の画像処理装置によれば、元画像データの画像を拡大又は縮小した編集画像データの画像とともに、元画像データの画像の全体の各辺の画素数に対する編集画像データの画像の全体の各辺の画素数の割合を算出する画素数割合、及び、記録紙に印刷した場合の元画像データの画像のうち編集画像データの画像の表示装置に表示される部分に対応する部分の面積に対する、編集データの画像のうち表示装置に表示される部分の面積の割合を表示装置に表示する。したがって、表示装置に表示されている編集画像データの画像の画質が悪い場合に、画素数割合及び長さ割合と表示装置に表示されている編集画像データの画像の画質との関係により、元画像データそのものの画質が悪いのか、表示装置に表示している編集画像データの画像の解像度が低い（縮小率が高い）のかがわかるので、表示装置に表示されている編集画像データの画像に基づいて、元画像データの画像の画質などが、例えば、コピーをしたり印刷をしたりするのに適当であるかどうかを適切に判断することができるという効果が得られる。
【００１３】
請求項３に記載の画像処理装置によれば、元画像データの画像を拡大又は縮小して編集画像データを生成するか、元画像データの画像を予め所定の倍率で拡大又は縮小しておいた基準画像データの画像を拡大、縮小、又は、そのままの倍率として編集画像データを生成するかを選択するので、処理演算量、処理スピード、編集画像データの画質などを勘案して、より適切な方法で編集画像データを作成することができるという効果が得られる。
【００１４】
請求項４に記載の画像処理装置によれば、利用者によって指定された倍率が、所定の倍率よりも１００％に近い場合には、元画像データの画像に基づいて元画像データの画像に対して利用者によって指定された倍率に応じた画像となる編集画像データを生成し、１００％よりも所定の倍率に近い場合には、基準画像データの画像に基づいて元画像データの画像に対して利用者によって指定された倍率に応じた画像となる編集画像データを生成する。したがって、利用者によって指定された倍率により近い画像データに基づいて編集画像データが生成されるので、編集画像データの生成の処理の演算量を減らし、編集画像データの生成の処理にかかる時間を短縮することができるという効果が得られる。
【００１５】
請求項５に記載の画像処理装置によれば、所定の倍率は、基準画像データをそのままの倍率として編集画像データとした場合に、編集画像データの画像の全体が表示装置に表示される値であるので、基準画像データの画像をそのまま表示装置に表示すれば、元画像データに基づく画像の全体を表示装置で即座に確認することができるという効果が得られる。
【発明を実施するための最良の形態】
【００１６】
以下、図面を参照しつつ、本発明に係る画像処理装置としてのインターネットファクシミリ装置１について説明する。インターネットファクシミリ装置１は、ファクシミリ通信機能、電子メール通信機能、スキャン機能、コピー機能、プリント機能などを備えた、いわゆるファクシミリ複合機と呼ばれるものである。インターネットファクシミリ装置１は、オフィスなどに設置され、公衆交換電話網（ＰＳＴＮ：Public Switched Telephone Networks）２及びＬＡＮ３（Local Area Network）に接続される。ＬＡＮ３には、インターネットファクシミリ装置１の他に、クライアントＰＣ（Personal Computer）やメール・サーバなども接続される。また、ＬＡＮ３には、ルータも接続され、ＬＡＮ３は、ルータを介してインターネットに接続される。
【００１７】
図１は、インターネットファクシミリ装置１の構成例を示したブロック図である。このインターネットファクシミリ装置１は、図示するように、ＣＰＵ（Central Processing Unit）１０１、ＲＯＭ（Read Only Memory）１０２、ＲＡＭ（Random Access Memory）１０３、ＨＤＤ（Hard Disk Drive）１０４、操作部１０５、表示部１０６、原稿読取部１０７、画像処理部１０８、イメージメモリ１０９、コーデック（ＣＯＤＥＣ：Coder and Decoder）１１０、符号メモリ１１１、拡大縮小部１１２、プリンタ１１３、ＦＡＸ通信部１１４、及び、ＬＡＮ−Ｉ／Ｆ（Local Area Network Interface）１１５を備えており、各部１０１乃至１１５は、バス（bus）１１６によって通信可能に接続されている。
【００１８】
ＣＰＵ１０１は、ＲＯＭ１０２に記憶されている制御プログラムに従って、インターネットファクシミリ装置１の各部の動作を制御する。ＲＯＭ１０２は、ＣＰＵ１０１によりこのインターネットファクシミリ装置１の各部の動作を制御するための前記制御プログラムなどを記憶する。ＲＡＭ１０３は、インターネットファクシミリ装置１の動作に用いる設定情報などの各種データなどを、読み出し及び書き込みが可能な状態で記憶するものであり、ＣＰＵ１０１のワークエリアとしても機能する。ＨＤＤ１０４は、ファクシミリ機能などで送受信するなどした画像データの蓄積などを行うためのものである。
【００１９】
操作部１０５は、図示しないが、原稿の読み取り（スキャン）動作などの開始を指示するためのスタートキー、ファクシミリ番号、コピー部数などを入力するためのテンキー、文字の入力を行うための文字入力キー、操作対象を指定するためのカーソルキーなどを備えている。表示部１０６は、各種の設定状態や自装置１の動作状態などを文字や図形などで表示するタッチパネル式の液晶表示装置（ＬＣＤ：Liquid Crystal Display）（以下、「表示装置」と呼ぶ。）１０６ａや、点灯又は消灯で表示するＬＥＤ（Light Emitting Diode）ランプなどを備えている。操作部１０５が備える各キーの操作や表示部１０６が備える表示装置１０６ａのパネルのタップに応じて表示装置１０６ａの表示が変化し、この表示装置１０６ａの表示に対応した操作部１０５の各キーの操作や表示装置１０６ａのパネルのタップにより各種の入力を行うことができる。表示装置１０６ａに表示する画像の拡大や縮小の指定なども、表示装置１０６ａのパネルのタップにより行うことができる。
【００２０】
原稿読取部１０７は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００２１】
画像処理部１０８は、原稿読取部１０７から出力された画像データに対して、色調整、色空間変換、２値化等の処理を行うものである。イメージメモリ１０９は、画像処理部１０８によって処理が行われた画像データを一時的に記憶するためのものである。コーデック１１０は、イメージメモリ１０９に記憶されている画像データを符号化（エンコード）して符号メモリ１１１に記憶し、また、符号メモリ１１１に記憶された符号化された画像データを復号（デコード）して、ＲＭＡ１０３などに記憶するものである。なお、コーデック１１０は、画像データをＪＰＥＧ、ＭＨ、ＭＲ、ＭＭＲ、ＪＢＩＧ方式等に基づいて符号化し、また、復号する。さらに、拡大縮小部１１２は、イメージメモリ１０９から読み出されてコーデック１１０に入力される画像データの画像を拡大又は縮小したり、コーデック１１０で復号されてＲＡＭ１０３に記憶された画像データの画像を拡大又は縮小したりするものである。
【００２２】
プリンタ１１３は、符号メモリ１１１から読み出され、コーデック１１０によって復号された画像データを印刷出力するものであり、その解像度は例えば２００ｄｐｉである。
【００２３】
ＦＡＸ通信部１１４は、原稿の画像データをファクシミリ（ＦＡＸ）通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置でありＰＳＴＮ２に接続される。ＰＳＴＮ２には、インターネットファクシミリ装置１の他にＧ３ファクシミリ装置などが通信可能に接続され、インターネットファクシミリ装置１は、Ｇ３ファクシミリ装置などとの間で画像データをファクシミリ通信により送信又は受信することが可能である。
【００２４】
ＬＡＮ−Ｉ／Ｆ１１５は、インターネットファクシミリ装置１をＬＡＮ３に接続可能にするものである。ＬＡＮ３には、クライアントＰＣやメール・サーバなども接続され、インターネットファクシミリ装置１は、クライアントＰＣやメール・サーバなどとの間でデータの通信が可能である。また、インターネットファクシミリ装置１は、ＬＡＮ３及びルータを介して、インターネット上に設けられたその他のインターネットファクシミリ装置などと接続され、その他のインターネットファクシミリ装置などとの間で、インターネットファクシミリ通信を行うことができる。ここで、インターネットファクシミリ通信とは、例えば、ＴＩＦＦ−Ｓ形式のファイル（画像データ）を添付した電子メールをＳＭＴＰ（Simple Mail Transfer Protocol）で送受信する通信である。
【００２５】
このようなインターネットファクシミリ装置１では、原稿をコピーなどする場合に、原稿の画像を原稿読取部１０７で読み取って生成した画像データ（以下、「元画像データ」と呼び、元画像データの画像を「元画像」と呼ぶ。）の画像を拡大又は縮小した画像を表示装置１０６ａに表示し、コピーする画像の画質などが適当であるか否かを確認することができる。なお、元画像を拡大又は縮小して表示装置１０６ａに表示される上述の画像を「編集画像」と呼ぶ。そして、編集画像を表示装置１０６ａに表示する際には、当該編集画像とともに、元画像の全体の各辺の画素数に対する表示装置１０６ａに表示される編集画像の全体（表示されない部分を含む）の各辺の画像数の割合、及び、記録紙に印刷した場合の元画像のうち編集画像の表示装置１０６ａに表示されている部分に対応する部分の各辺の長さに対する、編集画像の表示装置１０６ａに表示されている部分の各辺の長さの割合を表示することができる。
【００２６】
以下、図２乃至図４に示すフローチャートを用いて、原稿の画像を原稿読取部１０７で読み取って生成した画像データの画像を表示装置１０６ａに表示する場合に、ＣＰＵ１０１が実行する処理の例を説明する。ＣＰＵ１０１は、ＲＯＭ１０２に記憶されているプログラムの命令に従って、図２乃至図４のフローチャートに示す処理を実行する。なお、図２乃至図４のフローチャートに示す処理は一例であり、図示する処理の実行順序は、変更しても本発明を実施することができるものについては変更してもよい。
【００２７】
まず、利用者が、原稿読取部１０７のフラット・ベッド・スキャナで行う原稿の画像の読み取りの解像度を設定する操作を操作部１０５に対して行うと、ＣＰＵ１０１は、解像度の設定の入力を受け付ける（ステップＳ１）。次に、利用者が、原稿を原稿読取部１０７にセットして、コピーを開始する操作を操作部１０５に対して行うと、ＣＰＵ１０１は、原稿読取部１０７を駆動して、原稿の画像を読み取って画像データを生成する（ステップＳ２）。生成された画像データは、画像処理部１０８による各種の処理を経て、イメージメモリ１０９に記憶される。そして、ＣＰＵ１０１は、イメージメモリ１０９に記憶されている画像データをコーデック１１０においてＪＰＥＧ方式に従って符号化して「元画像データ」を生成する（ステップＳ３）。なお、ＣＰＵ１０１は、生成した元画像データを符号メモリ１１１に記憶させる。
【００２８】
元画像データを生成すると、ＣＰＵ１０１は、原稿読取部１０７に設けられた図示しないセンサによる原稿の位置の検出などに基づいて、原稿読取部１０７にセットされている原稿のサイズを特定し（ステップＳ４）、さらに、原稿読取部１０７が生成した画像データのデータ量などに基づいて、元画像データのサイズを特定する（ステップＳ５）。
【００２９】
次に、ＣＰＵ１０１は、最初に表示装置１０６ａに表示する編集画像の、元画像に対する倍率を決定する（ステップＳ６）。上述したように、表示装置１０６ａに表示される画像を「編集画像」と呼び、編集画像のデータを「編集画像データ」と呼ぶ。さらに、原稿読取部１０７で原稿の画像が読み取られた後、表示装置１０６ａに最初に表示される編集画像を特に「基準画像」と呼び、基準画像のデータを「基準画像データ」と呼ぶ。したがって、言い換えれば、ステップＳ６では、表示装置１０６ａに基準画像を表示するために、元画像をどの程度拡大又は縮小するかを決定する倍率を算出する。なお、ステップＳ６では、基準画像の全体がちょうど表示装置１０６ａの原稿画像表示スペース１０６１（図５参照。）いっぱいに表示されるような倍率を算出する。
【００３０】
ここで、表示装置１０６ａには、図５に示すように、原稿の画像を表示する原稿画像表示スペース１０６１が設けられている。この原稿画像表示スペース１０６１は、例えば、５インチ×５インチの大きさのスペースであり、１００ｄｐｉ（Dot Per Inch）の解像度である。したがって、画像表示スペース１０６１には、５００画素×５００画素の画像を表示することができる。そのため、元画像のサイズを、２０００画素×１５００画素とすると、図６に示すように、元画像の全体がちょうど原稿画像表示スペース１０６１いっぱいに収まるように表示するためには、２０００画素を５００画素にする必要がある。したがって、元画像の縦方向（長辺）及び横方向（短辺）について、画素を７５％間引き、元画像の各辺の画素数に対して２５％の画素数の各辺の画像となるように縮小しなければならない。この２５％という、元画像の全体の各辺の画素数に対する表示装置１０６ａに表示される基準画像（編集画像）の全体（表示されない部分を含む）の各辺の画像数の割合を「画素数割合」と呼ぶ。なお、元画像の長辺の画素数が原稿画像表示スペース１０６１の各辺のドット数（５００画素）よりも小さい場合には、元画像の画素を補間することにより拡大する必要がある。
【００３１】
倍率（画素数割合）を決定すると、次に、ＣＰＵ１０１は、元画像データの画像が記録紙に印刷されたことを想定した場合に、記録紙に印刷された元画像のうち、基準画像（編集画像）の原稿画像表示スペース１０６１に表示される部分に対応する部分の各辺の長さに対する、基準画像（編集画像）のうち原稿画像表示スペース１０６１に表示される部分の各辺の長さの割合を算出する（ステップＳ７）。この割合を「長さ割合」と呼ぶ。なお、ここでは、基準画像であるので、原稿画像表示スペース１０６１に表示される部分は、基準画像の全体である。ここで、インターネットファクシミリ装置１のプリンタ１１３の解像度を例えば２００ｄｐｉとすると、元画像のサイズが２０００画素×１５００画素であるから、記録紙に印刷される元画像の大きさは、１０インチ×７．５インチである。基準画像は、その全体が原稿画像表示スペース１０６１の範囲いっぱいに表示されるので、基準画像の長辺の長さは、５インチである。したがって、長さ割合は、５０％となる。
【００３２】
こうして、画素数割合と長さ割合とを算出すると、ＣＰＵ１０１は、符号メモリ１１１に記憶されている元画像データをコーデック１１０で復号してＲＡＭ１０３に記憶し、ＲＡＭ１０３に記憶された元画像データの画像の画素を縦方向及び横方向に間引いて、縦方向及び横方向に画素数割合（上述の例では２５％）の画素数となる基準画像データを生成する（ステップＳ８）。なお、倍率（画素数割合）が、１００％より大きい場合には、元画像データの画像の画素を縦方向及び横方向に補間して基準画像データを生成する。なお、ＲＡＭ１０３において生成された基準画像データは、コーデック１１０でＪＰＥＧ方式にしたがって符号化され、符号メモリ１１１に記憶される。次に、生成して符号メモリ１１１に記憶されているＪＰＥＧ方式の基準画像データをコーデック１１０で復号し、当該復号した基準画像データの画像（基準画像）を原稿画像表示スペース１０６１に表示する（ステップＳ９）。
【００３３】
ここで、図５、図６などに示すように、表示装置１０６ａの表示部分は、原稿画像表示スペース１０６１、メッセージ表示部１０６２、ボタン表示部１０６３、情報表示部１０６４、及び、ボタン表示部１０６５に分かれている。そして、基準画像（編集画像）を原稿表示スペース１０６１に表示する際には、情報表示部１０６４に、原稿をフラット・ベッド・スキャナで読み込んだときの解像度（図６の例では「２００ｄｐｉ」）、画像倍率（図６の例では「２５％」）、及び、印刷倍率（図６の例では「５０％」）がともに表示される。なお、「画像倍率」とは上述の「画素数割合」のことであり、「印刷倍率」とは上述の「長さ割合」のことである。
【００３４】
メッセージ表示部１０６２には、現在の表示装置１０６ａの表示がコピー画像のプレビューである旨を示すメッセージと、コピーする画像が原稿画像表示スペース１０６１に表示されている画像でよい場合に決定ボタンを押すことを利用者に促すメッセージを表示する。また、ボタン表示部１０６３には、原稿画像表示スペース１０６１に表示されている画像を印刷（コピー）する指示を行うための「決定ボタン」と、当該画像の印刷（コピー）を中止する指示を行うための「中止ボタン」とを表示する。さらに、ボタン表示部１０６５には、原稿画像表示スペース１０６１に表示されている画像を拡大する指示を行うための「拡大ボタン」、及び、当該画像を縮小する指示を行うための「縮小ボタン」を表示する。
【００３５】
図６に示す例は、原稿を２００ｄｐｉで読み取った場合であるが、原稿を１００ｄｐｉで読み取った場合には、表示装置１０６ａには、図７に示すような画面が表示される。図７からわかるように、１００ｄｐｉで読み取った場合には、情報表示部１０６４に「１００ｄｐｉ」と表示され、画像倍率（画素数割合）は、「５０％」と表示される。また、印刷倍率（長さ割合）は２００ｄｐｉの場合と同じで「５０％」と表示される。なお、図６及び図７には示さないが、１００ｄｐｉで読み取った場合に原稿画像表示スペース１０６１に表示される基準画像は、２００ｄｐｉで読み取った場合に表示される基準画像よりも画質が荒い画像となる。
【００３６】
図６を参照し、利用者が、ボタン表示部１０６３に表示されている「決定ボタン」をタップして操作すると、ＣＰＵ１０１は、ステップＳ１０において、印刷（コピー）の指示が行われたと判断し（ステップＳ１０：ＹＥＳ）、符号メモリ１１１に記憶されている元画像データをコーデック１１０で復号して、プリンタ１１３で印刷する（ステップＳ１１）。また、利用者が、ボタン表示部１０６３に表示されている「中止ボタン」をタップして操作すると、ＣＰＵ１０１は、ステップ１２において、コピーの中止が指示されたと判断し（ステップＳ１２：ＹＥＳ）、処理を終了する。
【００３７】
一方、利用者が、ボタン表示部１０６５に表示されている「拡大ボタン」又は「縮小ボタン」をタップして操作すると、ＣＰＵ１０１は、倍率の変更が行われたと判断し（ステップＳ１３：ＹＥＳ）、「拡大ボタン」又は「縮小ボタン」の操作によって指定された倍率を特定する（ステップＳ１４）。例えば、「拡大ボタン」又は「縮小ボタン」の操作によって、画像倍率（画素数割合）について、０．５％刻みで倍率を指定することができる。したがって、ステップＳ１４で特定された倍率は、そのまま画像倍率（画素数割合）となる。なお、「拡大ボタン」又は「縮小ボタン」の操作によって、画像倍率（画素数割合）ではなく、印刷倍率（長さ割合）を選択することができるようにしてもよい。
【００３８】
倍率（画像倍率（画素数割合））を特定すると、次に、ＣＰＵ１０１は、印刷倍率（長さ割合）の算出を行う（ステップＳ１５）。例えば、特定された倍率（画像倍率（画素数割合））が４５％である（拡大ボタンが操作された）とすると、原稿画像表示スペース１０６１に表示されるべき編集画像のサイズは、２０００画素×１５００画素の４５％であるから９００画素×６７５画素となる。このとき、画像倍率（画素数割合）は、２５％（図６の例）から４５％（図８の例）となるので、画像倍率（画素数割合）の倍率は、１８０％である。そのため、印刷倍率（長さ割合）の倍率も１８０％となるので、５０％（図６の例）から９０％（図８の例）となる。このようにして、印刷倍率（長さ割合）の算出を行う。
【００３９】
ここで、上述したように、印刷倍率（長さ割合）とは、元画像データの画像が記録紙に印刷されたことを想定した場合に、記録紙に印刷された元画像データの画像のうち、編集画像（基準画像）の原稿画像表示スペース１０６１に表示される部分に対応する部分の各辺の長さに対する、編集画像（基準画像）のうち原稿画像表示スペース１０６１に表示される部分の各辺の長さの割合である。しかし、この割合は、記録紙に印刷された元画像の全体の各辺の長さの割合に対する、編集画像（基準画像）の全体が、任意の広さの表示部分を有する原稿画像表示スペース１０６１に表示されたと仮定した場合の編集画像（基準画像）の全体の各辺の長さの割合に等しい。したがって、上述した計算方法によって容易に印刷倍率（長さ割合）を算出することができる。
【００４０】
図８の場合における、元画像（データ）、編集画像、及び、記録紙に印刷される元画像の関係を示すと図９のようになる。図８の場合、画素数割合が４５％であるので、編集画像のサイズは、上述したように９００画素×６７５画素である。そして、原稿画像表示スペース１０６１の解像度は１００ｄｐｉであるので、編集画像の全体が任意の広さの原稿画像表示スペース１０６１に表示されたとすると、編集画像の長辺及び短辺の長さはそれぞれ９インチと６．７５インチである。これに対し、記録紙に印刷される元画像の長辺及び短辺の長さは、上述したように、１０インチと７．５インチである。
【００４１】
したがって、「記録紙に印刷された元画像の全体の各辺の長さの割合に対する、編集画像（基準画像）の全体が、任意の広さの表示部分を有する原稿画像表示スペース１０６１に表示されたと仮定した場合の編集画像（基準画像）の全体の各辺の長さの割合」（印刷倍率（長さ割合））は、（９インチ）÷（１０インチ）若しくは（６．７５インチ）÷（７．５インチ）より９０％となる。
【００４２】
一方、「編集画像（基準画像）のうち原稿画像表示スペース１０６１に表示される部分の各辺の長さ」は６インチであり、「記録紙に印刷された元画像データの画像のうち、編集画像（基準画像）の原稿画像表示スペース１０６１に表示される部分に対応する部分の各辺の長さ」は６．６６インチであるので、「記録紙に印刷された元画像データの画像のうち、編集画像（基準画像）の原稿画像表示スペース１０６１に表示される部分に対応する部分の各辺の長さに対する、編集画像（基準画像）のうち原稿画像表示スペース１０６１に表示される部分の各辺の長さの割合」（印刷倍率（長さ割合））は、（６インチ）÷（６．６６インチ）より９０％となる。したがって、上述の方法で、印刷倍率（長さ割合）が正しく求められることがわかる。
【００４３】
印刷倍率（長さ割合）を算出すると、次に、ＣＰＵ１０１は、元画像に対してステップＳ１４で特定した倍率となる画像を表示装置１０６ａの原稿画像表示スペース１０６１に表示するための編集画像データを生成する「編集画像の生成処理」を実行する（ステップＳ１６）。「編集画像の生成処理」では、符号メモリ１１１に記憶されているＪＰＥＧ方式で符号化された元画像データ又は基準画像データをコーデック１１０で復号し、当該復号した元画像データ又は基準画像データの画像の画素を補間して拡大したり間引いて縮小したりすることによって、元画像データの画像に対してステップＳ１４で特定した倍率（画素数割合）の画像となる編集画像データを生成する。
【００４４】
そして、最後に、ＣＰＵ１０１は、図８に示すように、ステップＳ１６で生成した編集画像データを表示装置１０６ａの原稿画像表示スペース１０６１に表示するとともに、ステップＳ１４で特定した画像倍率（画素数割合）とステップＳ１５で算出した印刷倍率（長さ割合）とを情報表示部１０６４に表示する（ステップＳ１７）。なお、画像倍率（画素数割合）を１２．５％に下げた場合には、表示装置１０６ａにおいて、図１０に示すような表示が行われる。
【００４５】
ステップＳ１６の「編集画像の生成処理」では、ＣＰＵ１０１は、図４に示すように、まず、ステップＳ１４で特定した画素数割合（以下、「新規画素数割合」と呼ぶ。）が、ステップＳ６で算出した基準画像の画素数割合より１００％に近いか否かを判断する（ステップＳ１６１）。新規画素数割合が基準画像の画素数割合より１００％に近いと判断すると（ステップ１６１：ＹＥＳ）、基準画像データの画像の画素を補間してあるいは間引いて編集画像データを生成する演算量よりも、元画像データの画像の画素を補間してあるいは間引いて編集画像データを生成する演算量が少ないと判断し、元画像データに基づいて編集画像データを生成する（ステップＳ１６２）。一方、新規画素数割合が基準画像の画素数割合より１００％に近くないと判断すると（ステップ１６１：ＮＯ）、元画像データの画像の画素を補間してあるいは間引いて編集画像データを生成する演算量よりも、基準画像データの画像の画素を補間してあるいは間引いて編集画像データを生成する演算量が少ないと判断し、基準画像データに基づいて編集画像データを生成する（ステップＳ１６３）。
【００４６】
以上に説明したように、本実施の形態のインターネットファクシミリ装置１によれば、コピーなどのために原稿の画像を原稿読取部１０７で読み取って生成した元画像データに基づく画像（編集画像）を表示装置１０６ａへ表示する際に、元画像を拡大又は縮小した編集画像を原稿画像表示スペース１０６１に表示するとともに、元画像の全体の各辺の画素数に対する原稿画像表示スペース１０６１に表示される編集画像の全体（表示されない部分を含む）の各辺の画像数の割合である画像倍率（画素数割合）、及び、記録紙に印刷した場合の元画像のうち編集画像の原稿画像表示スペース１０６１に表示されている部分に対応する部分の各辺の長さに対する、編集画像の原稿画像表示スペース１０６１に表示されている部分の各辺の長さの割合である印刷倍率（長さ割合）を情報表示部１０６４に表示する。したがって、表示装置１０６ａの原稿画像表示スペース１０６１に表示されている画像の画質が悪い場合に、画素数割合及び長さ割合と原稿画像表示スペース１０６１に表示されている編集画像の画質との関係により、元画像データそのものの画質が悪いのが原因であるか、原稿画像表示スペース１０６１に表示している画像の解像度が低い（縮小率が高い）のが原因であるかを判断することができる。つまり、原稿画像表示スペース１０６１に表示されている画像の画質が悪いが、画素数割合及び長さ割合の値が低い場合には、原稿画像表示スペース１０６１に表示されている画像はさらに画質を損なうことなく拡大する余地があり、また、記録紙に印刷される画像は原稿画像表示スペース１０６１に表示されている画像よりも画質が良好である可能性があることがわかる。その逆に、原稿画像表示スペース１０６１に表示されている画像の画質が悪く、画素数割合及び長さ割合の値が高い場合には、原稿画像表示スペース１０６１に表示されている画像を、画質を損なうことなく拡大する余地はなく、また、記録紙に印刷される画像は原稿画像表示スペース１０６１に表示されている画像よりも画質が良好となる可能性はないことがわかる。そのため、コピーなどする画像の画質が適当であるかどうかを適切に判断することができる。
【００４７】
なお、本発明の実施の形態は上述の形態に限らず、発明の思想の範囲内で、種々に変更することができる。例えば、上述の実施の形態では、元画像データに基づく画像（編集画像）の原稿画像表示スペース１０６１への表示の際には、編集画像とともに、元画像の全体の各辺の画素数に対する原稿画像表示スペース１０６１に表示される編集画像の全体（表示されない部分を含む）の各辺の画像数の割合である画像倍率（画素数割合）、及び、記録紙に印刷した場合の元画像のうち編集画像の原稿画像表示スペース１０６１に表示されている部分に対応する部分の各辺の長さに対する、編集画像の原稿画像表示スペース１０６１に表示されている部分の各辺の長さの割合である印刷倍率（長さ割合）を表示することとしたが、これに替えて、編集画像とともに、元画像の全体の総画素数に対する原稿画像表示スペース１０６１に表示される編集画像の全体（表示されない部分を含む）の総画素数の割合、及び、記録紙に印刷した場合の元画像のうち編集画像の原稿画像表示スペース１０６１に表示されている部分に対応する部分の面積に対する、編集画像の原稿画像表示スペース１０６１に表示されている部分の面積の割合を表示するようにしてもよい。
【００４８】
また、上述の実施の形態では、原稿読取部１０７で読み取って生成した元画像データを表示装置１０６ａの原稿画像表示スペース１０６１に表示することとしたが、原稿画像表示スペース１０６１に表示する画像は、原稿読取部１０７で読み取って生成した元画像データに限らず、例えば、ＵＳＢメモリからインターネットファクシミリ装置１に取り込んだ画像データやインターネット上の所定のサイトからダウンロードした画像データであってもよい。
【００４９】
さらに、上述の実施の形態では、元画像データの画像を拡大又は縮小して基準画像データを生成したが、元画像データの画像の全体が拡大又は縮小しなくてもそのまま表示装置１０６ａの原稿画像表示スペース１０６１いっぱいに表示できる場合には、基準画像データを生成することなく、元画像データに基づいて編集画像データを生成するようにしてもよい。
【産業上の利用可能性】
【００５０】
本発明は、例えば、画像データの画像を縮小して表示装置に表示することができる画像処理装置に適用可能である。
【図面の簡単な説明】
【００５１】
【図１】本発明に係るインターネットファクシミリ装置１の構成例を示すブロック図である。
【図２】インターネットファクシミリ装置１のＣＰＵ１０１が実行する処理の一例を示すフローチャートである。
【図３】図２のフローチャートに続くフローチュアートである。
【図４】「編集画像の生成処理」の一例を示すフローチャートである。
【図５】表示装置１０６ａの表示部分構成を示す説明図である。
【図６】表示装置１０６ａの表示の一例を示す説明図である。
【図７】表示装置１０６ａの表示のその他の一例を示す説明図である。
【図８】表示装置１０６ａの表示のその他の一例を示す説明図である。
【図９】元画像（データ）、編集画像、及び、記録紙に印刷される元画像の関係を示す説明図である。
【図１０】表示装置１０６ａの表示のその他の一例を示す説明図である。
【符号の説明】
【００５２】
１        インターネットファクシミリ装置
１０１    ＣＰＵ
１０３    ＲＡＭ
１０６ａ  表示装置
１０９    コーデック
１１２    拡大縮小部
【図１】
2008294611.tif 000003
【図２】
2008294611.tif 000004
【図３】
2008294611.tif 000005
【図４】
2008294611.tif 000006
【図５】
2008294611.tif 000007
【図６】
2008294611.tif 000008
【図７】
2008294611.tif 000009
【図８】
2008294611.tif 000010
【図９】
2008294611.tif 000011
【図１０】
2008294611.tif 000012